(57)【要約】【課題】刺激を与えにくい電気かみそりを提供する。【解決手段】電気かみそりは外刃２１、内刃４０、内刃継手部品５０、および、肌導入抑制部６０を有する。外刃２１は外刃孔２１Ａを有する。内刃４０は内刃本体壁部４１、複数の刃片４２、内刃孔４３、および、内刃内部空間４４を有する。内刃４０は外刃２１に対して往復運動することにより外刃孔２１Ａから導入された毛を切断する。内刃本体壁部４１は内刃継手部品５０と結合される。内刃内部空間４４は内刃本体壁部４１および複数の刃片４２に囲まれて形成される。肌導入抑制部６０は内刃内部空間４４において内刃孔４３と対応する位置に形成される。肌導入抑制部６０は内刃孔４３を介して内刃内部空間４４に導入される肌と接触し、電気かみそりのかみそり本体に対して規定される本体幅方向から見た場合に刃片４２の外縁が現れるように構成される。【選択図】図３
2018114347.tif 000002
【特許請求の範囲】
【請求項１】
外刃、内刃、内刃継手部品、および、肌導入抑制部を備える電気かみそりであって、
前記外刃は外刃孔を有し、
前記内刃は内刃本体壁部、複数の刃片、内刃孔、および、内刃内部空間を有し、前記外刃に対して往復運動することにより前記外刃孔から導入された毛を切断し、
前記内刃本体壁部は前記内刃継手部品と結合され、
前記内刃内部空間は前記内刃本体壁部および前記複数の刃片に囲まれて形成され、
前記肌導入抑制部は前記内刃内部空間において前記内刃孔と対応する位置に配置され、前記内刃孔を介して前記内刃内部空間に導入される肌と接触し、前記電気かみそりのかみそり本体に対して規定される本体幅方向から見た場合に前記刃片の外縁が現れるように構成される
電気かみそり。
【請求項２】
前記肌導入抑制部の外縁は前記本体幅方向から見た場合に前記刃片の外縁のいずれの部分とも重ならない
請求項１に記載の電気かみそり。
【請求項３】
前記かみそり本体に対して規定される本体奥行方向における前記肌導入抑制部の幅は前記本体奥行方向における前記刃片の幅よりも狭い
請求項１または２に記載の電気かみそり。
【請求項４】
前記内刃は前記本体奥行方向において前記内刃内部空間の両側に位置する一対の前記内刃本体壁部を有し、
前記本体奥行方向における前記肌導入抑制部の幅は前記本体奥行方向における一方の前記内刃本体壁部の内縁と他方の前記内刃本体壁部の内縁との間隔以下である
請求項３に記載の電気かみそり。
【請求項５】
前記肌導入抑制部は抑制部基礎部および抑制部接触部を有し、
前記抑制部基礎部は前記内刃継手部品または前記内刃本体壁部と結合され、前記抑制部接触部を支持し、
前記抑制部接触部は前記内刃孔に向けて延びる形状を有し、前記内刃の先端よりも前記内刃内部空間側に位置している、または、前記外刃と前記内刃の先端との間に位置している
請求項１〜４のいずれか一項に記載の電気かみそり。
【請求項６】
前記抑制部接触部は前記内刃孔側の部分が開口している
請求項５に記載の電気かみそり。
【請求項７】
前記抑制部接触部は弾性材料により形成されている
請求項５または６に記載の電気かみそり。
【請求項８】
前記肌導入抑制部のサスペンション力は前記外刃のサスペンション力および前記内刃のサスペンション力よりも大きい
請求項１〜７のいずれか一項に記載の電気かみそり。
【請求項９】
前記肌導入抑制部は前記内刃内部空間において前記複数の内刃孔のうち少なくとも２つ以上の前記内刃孔と対応する位置に配置されている
請求項１〜８のいずれか一項に記載の電気かみそり。
【請求項１０】
前記内刃は前記内刃継手部品の長手方向において肌との接触圧が高い長手高圧部分、および、前記長手高圧部分よりも肌との接触圧が低い長手低圧部分を有し、
前記肌導入抑制部は前記内刃内部空間において前記長手高圧部分と対応する位置に配置されている
請求項１〜９のいずれか一項に記載の電気かみそり。
【請求項１１】
前記肌導入抑制部は前記内刃内部空間において前記内刃継手部品の短手方向に複数配置されている
請求項１〜１０のいずれか一項に記載の電気かみそり。
【請求項１２】
前記内刃は前記内刃継手部品の短手方向において肌との接触圧が高い短手高圧部分、および、前記短手高圧部分よりも肌との接触圧が低い短手低圧部分を有し、
前記肌導入抑制部は前記内刃内部空間において前記短手高圧部分と対応する位置に配置されている
請求項１〜１１のいずれか一項に記載の電気かみそり。
【請求項１３】
前記肌導入抑制部は前記内刃と相似する形状を有する
請求項１〜１０のいずれか一項に記載の電気かみそり。
【請求項１４】
前記肌導入抑制部は前記内刃と一体的に形成されている
請求項１〜１３のいずれか一項に記載の電気かみそり。
【発明の詳細な説明】
【技術分野】
【０００１】
本発明は電気かみそりに関する。
【背景技術】
【０００２】
特許文献１は電気かみそりの一例を開示している。特許文献１の電気かみそりは駆動部、外刃、および、内刃を有する。図２７は特許文献１の電気かみそり１０００を示している。なお、図２７では駆動部を省略している。
【０００３】
電気かみそり１０００は外刃１０１０および内刃１０２０を有する。外刃１０１０は肌１０３０に押し付けられる。外刃１０１０は外刃孔１０１１を有する。外刃孔１０１１は肌１０３０に生えている髭１０４０を導入する。内刃１０２０は外刃１０１０の内部に位置している。内刃１０２０は駆動部により外刃１０１０の幅方向に往復運動する。内刃１０２０は内刃孔１０２１を有する。内刃１０２０は外刃孔１０１１を介して内刃孔１０２１に導入された髭１０４０を切断する。
【先行技術文献】
【特許文献】
【０００４】
【特許文献１】特表２００９−５０２２７８号公報
【発明の概要】
【発明が解決しようとする課題】
【０００５】
肌１０３０は外刃孔１０１１を介して内刃孔１０２１に導入されることがある。内刃孔１０２１に導入された肌１０３０は内刃１０２０が外刃１０１０に対して往復運動することにより、外刃１０１０および内刃１０２０に挟み込まれる。このため、肌１０３０が刺激を受ける。なお、この課題はいわゆる回転式の電気かみそりにおいても同様に生じる。
【０００６】
本発明は肌に刺激を与えにくい電気かみそりを提供することを目的とする。
【課題を解決するための手段】
【０００７】
本発明に関する電気かみそりは外刃、内刃、内刃継手部品、および、肌導入抑制部を備える電気かみそりであって、前記外刃は外刃孔を有し、前記内刃は内刃本体壁部、複数の刃片、内刃孔、および、内刃内部空間を有し、前記外刃に対して往復運動することにより前記外刃孔から導入された毛を切断し、前記内刃本体壁部は前記内刃継手部品と結合され、前記内刃内部空間は前記内刃本体壁部および前記複数の刃片に囲まれて形成され、前記肌導入抑制部は前記内刃内部空間において前記内刃孔と対応する位置に配置され、前記内刃孔を介して前記内刃内部空間に導入される肌と接触し、前記電気かみそりのかみそり本体に対して規定される本体幅方向から見た場合に前記刃片の外縁が現れるように構成される。
【発明の効果】
【０００８】
本電気かみそりによれば肌に刺激が与えられにくい。
【図面の簡単な説明】
【０００９】
【図１】第１実施形態の電気かみそりの分解斜視図。
【図２】第１実施形態の内刃ユニットの平面図。
【図３】図２のＤ３−Ｄ３線の断面図。
【図４】第１実施形態の内刃ユニットに関する図であって、(ａ)は内刃内部空間に肌および髭が導入された状態を示す断面図、(ｂ)は内刃が髭を切断している状態を示す断面図。
【図５】第２実施形態の内刃ユニットの断面図。
【図６】第２実施形態の内刃ユニットに関する図であって、内刃内部空間に肌および髭が導入された状態を示す断面図。
【図７】第３実施形態の内刃ユニットおよび制御部の断面図。
【図８】第３実施形態の内刃ユニットおよび制御部の断面図。
【図９】第４実施形態の内刃ユニットおよび制御部の断面図。
【図１０】第４実施形態の内刃ユニットおよび制御部に関する図であって、外刃が肌に押し付けられた状態を示す断面図。
【図１１】第５実施形態の内刃ユニットおよび振動付与部の断面図。
【図１２】第５実施形態の内刃ユニットおよび振動付与部に関する図であって、肌導入抑制部が振動している状態を示す断面図。
【図１３】第６実施形態の内刃ユニットの平面図。
【図１４】図１３のＤ１４−Ｄ１４線の断面図。
【図１５】第７実施形態の内刃ユニットの平面図。
【図１６】図１５のＤ１６−Ｄ１６線の断面図。
【図１７】第８実施形態の内刃ユニットの正面図。
【図１８】第９実施形態の内刃ユニットおよび外刃の正面図。
【図１９】第１０実施形態の内刃ユニットおよび外刃の正面図。
【図２０】第１１実施形態の内刃ユニットの正面図。
【図２１】図２０のＤ２１−Ｄ２１線の断面図。
【図２２】図２１のＤ２２−Ｄ２２線の断面図。
【図２３】第１２実施形態の内刃ユニットの斜視図。
【図２４】第１３実施形態の内刃ユニットの平面図。
【図２５】その他の実施形態の内刃ユニットの正面図。
【図２６】その他の実施形態の内刃ユニットの正面図。
【図２７】従来の内刃および外刃の断面図。
【発明を実施するための形態】
【００１０】
(電気かみそりが取り得る形態の一例)
(１)本発明に関する電気かみそりは外刃、内刃、内刃継手部品、および、肌導入抑制部を備える電気かみそりであって、前記外刃は外刃孔を有し、前記内刃は内刃本体壁部、複数の刃片、内刃孔、および、内刃内部空間を有し、前記外刃に対して往復運動することにより前記外刃孔から導入された毛を切断し、前記内刃本体壁部は前記内刃継手部品と結合され、前記内刃内部空間は前記内刃本体壁部および前記複数の刃片に囲まれて形成され、前記肌導入抑制部は前記内刃内部空間において前記内刃孔と対応する位置に配置され、前記内刃孔を介して前記内刃内部空間に導入される肌と接触し、前記電気かみそりのかみそり本体に対して規定される本体幅方向から見た場合に前記刃片の外縁が現れるように構成される。
【００１１】
肌導入抑制部が内刃内部空間において内刃孔と対応する位置に形成されている。肌導入抑制部は内刃孔を介して内刃内部空間に導入される肌と接触する構造を有する。このため、内刃孔を介して、内刃内部空間に肌が導入されることが妨げられるかまたは内刃孔に導入される肌の量が減る。このため、肌に刺激を与えにくい電気かみそりを提供することができる。
【００１２】
(２)前記電気かみそりの一例では、前記肌導入抑制部の外縁は前記本体幅方向から見た場合に前記刃片の外縁のいずれの部分とも重ならない。
(３)前記電気かみそりの一例では、前記かみそり本体に対して規定される本体奥行方向における前記肌導入抑制部の幅は前記本体奥行方向における前記刃片の幅よりも狭い。
【００１３】
(４)前記電気かみそりの一例では、前記内刃は前記本体奥行方向において前記内刃内部空間の両側に位置する一対の前記内刃本体壁部を有し、前記本体奥行方向における前記肌導入抑制部の幅は前記本体奥行方向における一方の前記内刃本体壁部の内縁と他方の前記内刃本体壁部の内縁との間隔以下である。
【００１４】
(５)前記電気かみそりの一例では、前記肌導入抑制部は抑制部基礎部および抑制部接触部を有し、前記抑制部基礎部は前記内刃継手部品または前記内刃本体壁部と結合され、前記抑制部接触部を支持し、前記抑制部接触部は前記内刃孔に向けて延びる形状を有し、前記内刃の先端よりも前記内刃内部空間側に位置している、または前記外刃と前記内刃の先端との間に位置している。
【００１５】
(６)前記電気かみそりの一例では、前記抑制部接触部は前記内刃孔側の部分が開口している。
(７)前記電気かみそりの一例では、前記抑制部接触部は弾性材料により形成される。
【００１６】
(８)前記電気かみそりの一例では、前記肌導入抑制部のサスペンション力は前記外刃のサスペンション力および前記内刃のサスペンション力よりも大きい。
(９)前記電気かみそりの一例では、前記肌導入抑制部は前記内刃内部空間において前記複数の内刃孔のうち少なくとも２つ以上の前記内刃孔と対応する位置に配置されている。
【００１７】
(１０)前記電気かみそりの一例では、前記内刃は前記内刃継手部品の長手方向において、肌との接触圧が高い長手高圧部分、および、前記長手高圧部分よりも肌との接触圧が低い長手低圧部分を有し、前記肌導入抑制部は前記内刃内部空間において、前記長手高圧部分と対応する位置に配置されている。
【００１８】
(１１)前記電気かみそりの一例では、前記肌導入抑制部は前記内刃内部空間において、前記内刃継手部品の短手方向に複数配置されている。
(１２)前記電気かみそりの一例では、前記内刃は前記内刃継手部品の短手方向において、肌との接触圧が高い短手高圧部分、および、前記短手高圧部分よりも肌との接触圧が低い短手低圧部分を有し、前記肌導入抑制部は前記内刃内部空間において、前記短手高圧部分と対応する位置に配置されている。
【００１９】
(１３)前記電気かみそりの一例では、前記肌導入抑制部は前記内刃と相似する形状を有する。
(１４)前記電気かみそりの一例では、前記肌導入抑制部は前記内刃と一体的に形成されている。
【００２０】
(Ａ)前記電気かみそりの一例では、前記肌導入抑制部は抑制部弾性部を有し、前記抑制部弾性部は前記抑制部基礎部と前記抑制部接触部との間に配置され、前記抑制部基礎部により支持され、前記抑制部接触部を支持する。
【００２１】
(Ｂ)前記電気かみそりの一例では、前記電気かみそりは肌導入量検出部および押付圧力検出部の少なくとも一方、および制御部を有し、前記肌導入量検出部は前記外刃孔を介して前記内刃孔に導入された肌の量を示す肌導入量を検出し、検出した肌導入量に応じた肌導入量検出信号を前記制御部に供給し、前記押付圧力検出部は前記外刃が肌と接触したときに前記外刃に作用する圧力を示す押付圧力を検出し、検出した押付圧力に応じた圧力検出信号を前記制御部に供給し、前記制御部は前記肌導入量の増加を示す前記肌導入量検出信号および前記押付圧力の増加を示す前記圧力検出信号の少なくとも一方に従って、前記肌導入抑制部の先端の位置を前記内刃孔に近づける。
【００２２】
(Ｃ)前記電気かみそりの一例では、前記電気かみそりは前記肌導入抑制部を振動させる振動付与部を更に備える。
(Ｄ)前記電気かみそりの一例では、前記肌導入抑制部は肌と接触することにより回転する回転部を有する。
【００２３】
(第１実施形態)
図１を参照して、電気かみそり１の構成について説明する。
電気かみそり１はかみそり本体１０、外刃ユニット２０、および２つの内刃ユニット３０を有する。電気かみそり１は内刃ユニット３０を外刃ユニット２０に対して往復運動させる往復動式電気かみそりの形態を有する。
【００２４】
かみそり本体１０はグリップ部１１、ヘッド部１２、駆動部１３、および電源スイッチ１４を有する。かみそり本体１０は本体正面１０Ａ、本体背面１０Ｂ、本体右側面１０Ｃ、および本体左側面１０Ｄを有する。かみそり本体１０は本体長手方向、本体長手方向に直交する本体幅方向、および、本体長手方向および本体幅方向に直交する本体奥行方向を規定する。
【００２５】
本体正面１０Ａは電気かみそり１が使用者により使用されるとき、使用者に向かい合う。本体背面１０Ｂは本体奥行方向において、本体正面１０Ａとは反対側に存在する。本体右側面１０Ｃは本体幅方向において、本体正面１０Ａに対して右側に存在する。本体左側面１０Ｄは本体幅方向において、本体正面１０Ａに対して左側に存在する。
【００２６】
ヘッド部１２はグリップ部１１に結合されている。駆動部１３はグリップ部１１およびヘッド部１２に収容されている。駆動部１３の一部はヘッド部１２から外部に突出している。駆動部１３は本体幅方向において内刃ユニット３０を往復運動させる。電源スイッチ１４はグリップ部１１の本体正面１０Ａに形成されている。
【００２７】
外刃ユニット２０は外刃２１および外刃ケース２２を有する。外刃２１は外刃ケース２２に結合されている。外刃２１は本体長手方向に作用する圧力を吸収するサスペンション機能を有する。外刃２１は外刃孔２１Ａを有する。外刃孔２１Ａは使用者の髭を外刃ケース２２の内部の空間に導入する。外刃孔２１Ａは外刃２１の全体にわたり形成されている。外刃ケース２２はかみそり本体１０に結合している。
【００２８】
内刃ユニット３０は内刃４０、内刃継手部品５０、および肌導入抑制部６０(図２参照)を有する。内刃ユニット３０は内刃継手部品５０において駆動部１３に結合されている。内刃ユニット３０は外刃ユニット２０に対して往復運動することにより毛を切断する。内刃４０は内刃本体壁部４１を有する。内刃本体壁部４１は内刃継手部品５０と結合している。内刃４０は本体長手方向に作用する圧力を吸収するサスペンション機能を有する。
【００２９】
図２を参照して、内刃ユニット３０の詳細な構成について説明する。なお、図２は内刃ユニット３０のうち、隣り合う刃片４２に対応する部分を模式的に示す。
内刃４０は金属材料により形成されている。内刃４０は内刃本体壁部４１と複数の刃片４２とを有し、隣接する刃片４２間に内刃孔４３が形成される。内刃本体壁部４１および複数の刃片４２は同一の材料により一体的に形成される。内刃４０は内刃継手部品５０とともに本体幅方向に往復運動することにより、髭を切断する。
【００３０】
複数の刃片４２は本体幅方向に配列されている。内刃本体壁部４１および複数の刃片４２は内刃内部空間４４を形成している。内刃孔４３には髭が導入される。内刃継手部品５０は樹脂材料により形成されている。
【００３１】
図３を参照して、肌導入抑制部６０の構成について説明する。
肌導入抑制部６０は樹脂材料により形成されている。肌導入抑制部６０は内刃孔４３を介して肌と接触することにより内刃内部空間４４に肌が入り込むことを抑制する(以下、「肌導入抑制機能」)。肌導入抑制部６０は内刃内部空間４４において、内刃孔４３と対応する位置に配置されている。図示した例では複数の肌導入抑制部６０が、本体幅方向において、内刃孔４３と対応する位置に配置されている。肌導入抑制部６０は抑制部基礎部６１および抑制部接触部６２を有する。抑制部基礎部６１および抑制部接触部６２は同一の材料により一体的に形成される。
【００３２】
抑制部基礎部６１は内刃継手部品５０と結合している。抑制部基礎部６１は例えば直方体の形状を有する。抑制部基礎部６１は抑制部接触部６２を支持している。
抑制部接触部６２は抑制部基礎部６１から内刃孔４３に向けて延びる形状を有する。抑制部接触部６２は内刃孔４３を介して内刃内部空間４４に導入される肌と接触する。抑制部接触部６２は刃片４２の先端面４２Ａよりも内刃内部空間側に位置している。抑制部接触部６２は本体幅方向および本体奥行方向に複数の開口６２Ａを有する。複数の開口６２Ａは内刃内部空間４４に髭を導入する。複数の開口６２Ａは抑制部接触部６２のうち、内刃孔側に形成されている。
【００３３】
図１および図４を参照して、電気かみそり１の作用について説明する。
図４(ａ)に示すように、使用者は外刃２１を肌１００に押し付ける。髭１１０は外刃孔２１Ａおよび内刃孔４３を介して内刃内部空間４４に導入される。肌１００は外刃孔２１Ａを介して内刃孔４３に導入される。このとき、肌１００は肌導入抑制部６０の抑制部接触部６２と接触する。図１に示す駆動部１３は電源スイッチ１４がオンのとき、内刃ユニット３０を外刃ユニット２０に対して本体方向幅方向に往復運動させる。
【００３４】
図４(ｂ)に示すように、内刃４０の刃片４２は外刃ユニット２０の外刃孔２１Ａを介して導入された髭１１０を外刃２１と協働して挟み込む。これにより、髭１１０が切断される。
【００３５】
第１実施形態の電気かみそり１は以下の効果を奏する。
(１)肌導入抑制部６０は内刃孔４３を介して内刃内部空間４４に導入される肌１００と接触する構造を有するため、内刃孔４３を介して、内刃内部空間４４に肌が導入されることが妨げられるか、または内刃孔４３および内刃内部空間４４に導入される肌１００の量が減る。このため、電気かみそり１は肌１００に刺激を与えにくくすることができる。
【００３６】
(２)抑制部接触部６２は刃片４２の先端面４２Ａよりも内刃内部空間側に位置している。このため、刃片４２の先端面４２Ａが、抑制部接触部６２よりも内刃内部空間側に位置している構成と比較して、刃片４２が効率よく外刃２１と協働して髭１１０を切断することができる。
【００３７】
(３)抑制部接触部６２は複数の開口６２Ａを介して効率よく髭１１０を内刃内部空間４４に導入することができる。
図３の例では肌導入抑制部６０は抑制部基礎部６１、および、複数の抑制部接触部６２を含む。１つの抑制部接触部６２、および、この抑制部接触部６２を支持している抑制部基礎部６１の一部である抑制部基礎部６１Ａは肌導入抑制部６０の基本要素としての肌導入抑制部６０Ａを構成している。肌導入抑制部６０Ａは本体幅方向に例えば３つ並べられている。隣り合う肌導入抑制部６０の抑制部基礎部６１Ａは互いに結合して、抑制部基礎部６１を構成している。複数の肌導入抑制部６０Ａは抑制部基礎部６１Ａが互いに結合していることにより、個々の肌導入抑制部６０Ａよりも大きい１つの肌導入抑制部６０を構成している。
【００３８】
(第２実施形態)
第２実施形態の電気かみそり１は次の点において第１実施形態の電気かみそり１と相違し、その他の点において第１実施形態の電気かみそり１と同じ構成を有する。第１実施形態の内刃ユニット３０は図３等に示される肌導入抑制部６０を有する。第２実施形態の内刃ユニット３０は図５等に示される肌導入抑制部２６０を有する。なお、第２実施形態の電気かみそり１において、第１実施形態の電気かみそり１と共通する構成については同一の符号を付して、その説明の一部または全部を省略する。
【００３９】
図５を参照して、第２実施形態の肌導入抑制部２６０の構成について説明する。
肌導入抑制部２６０は肌導入抑制機能を有する。肌導入抑制部２６０は内刃内部空間４４において、内刃孔４３と対応する位置に配置されている。肌導入抑制部２６０は本体幅方向において、内刃孔４３と対応する位置に複数形成されている。肌導入抑制部２６０は抑制部基礎部２６１、抑制部接触部２６２、および抑制部弾性部２６３を有する。肌導入抑制部２６０は抑制部基礎部２６１および抑制部接触部２６２が同一の材料により形成されている。
【００４０】
抑制部基礎部２６１は内刃継手部品５０と結合している。抑制部基礎部２６１は樹脂材料により形成されている。抑制部基礎部２６１は直方体の形状を有する。抑制部基礎部２６１は抑制部弾性部２６３を支持する。
【００４１】
抑制部接触部２６２は樹脂材料により形成されている。抑制部接触部２６２は抑制部基礎部２６１から内刃孔４３に向けて延びる形状を有する。抑制部接触部２６２は内刃孔４３を介して内刃内部空間４４に導入される肌と接触する。抑制部接触部２６２は刃片４２の先端面４２Ａよりも内刃内部空間側に位置している。抑制部接触部２６２は本体長手方向および本体奥行方向に複数の開口６２Ａを有する。複数の開口６２Ａは内刃内部空間４４に髭を導入する。複数の開口６２Ａは抑制部接触部６２のうち、内刃孔側に形成されている。
【００４２】
抑制部弾性部２６３は弾性材料により形成されている。抑制部弾性部２６３は抑制部基礎部２６１と抑制部接触部２６２との間に配置される。抑制部弾性部２６３は抑制部基礎部２６１により支持される。抑制部弾性部２６３は抑制部接触部２６２を支持する。抑制部弾性部２６３のサスペンション力は内刃４０および外刃２１のサスペンション力よりも大きい。
【００４３】
図６を参照して、第２実施形態の電気かみそり１の作用について説明する。
使用者は外刃２１を肌１００に押し付ける。このとき、使用者による押し付け方によっては外刃２１に作用する圧力が不均一になる場合がある。いわゆる片当てとよばれるこの現象が生じると、例えば、ある外刃２１には押付圧力ＰＡが作用する。一方、他の外刃２１には押付圧力ＰＢが作用する。押付圧力ＰＢは押付圧力ＰＡよりも小さい圧力を示す。
【００４４】
髭１１０は外刃孔２１Ａおよび内刃孔４３を介して内刃内部空間４４に導入される。肌１００は外刃孔２１Ａを介して内刃孔４３に導入される。このとき、肌１００は肌導入抑制部２６０の抑制部接触部２６２と接触する。押付圧力ＰＡが作用する外刃２１に対応する抑制部弾性部２６３は押付圧力ＰＢが作用する外刃２１に対応する抑制部弾性部２６３よりも収縮量が大きい。
【００４５】
第２実施形態の電気かみそり１は上記(１)〜(３)の効果に加え、以下の効果を奏する。
(４)外刃２１の肌１００に対する押付圧力に応じて、抑制部弾性部２６３が弾性変形するため、外刃２１の肌１００に対する押付圧力に応じて、抑制部接触部２６２の位置が変化する。このため、いわゆる片当たりの現象が生じても、抑制部接触部２６２と肌１００との接触圧力が不均一になることを抑制できる。
【００４６】
(５)抑制部弾性部２６３のサスペンション力は内刃４０および外刃２１のサスペンション力よりも大きい。このため、外刃２１が、肌１００に押し付けられたときに、外刃孔２１Ａを介して内刃孔４３に導入された肌１００と抑制部接触部２６２とが接触する頻度を高めることができる。
【００４７】
(第３実施形態)
第３実施形態の電気かみそり１は次の点において第１実施形態の電気かみそり１と相違し、その他の点において第１実施形態の電気かみそり１と同じ構成を有する。第１実施形態の内刃ユニット３０は図３等に示される肌導入抑制部６０を有する。第３実施形態の内刃ユニット３０は図７等に示される肌導入抑制部３６０を有する。さらに、第３実施形態の電気かみそり１は図７等に示される押付圧力検出部３７０および制御部３８０を有する。なお、第３実施形態の電気かみそり１において、第１実施形態の電気かみそり１と共通する構成については同一の符号を付してその説明の一部または全部を省略する。
【００４８】
図７を参照して、第３実施形態の電気かみそり１の構成について説明する。
電気かみそり１は肌導入抑制部３６０、押付圧力検出部３７０、および制御部３８０を有する。
【００４９】
肌導入抑制部３６０は樹脂材料により形成されている。肌導入抑制部３６０は肌導入抑制機能を有する。肌導入抑制部３６０は内刃内部空間４４において、内刃孔４３と対応する位置に配置されている。肌導入抑制部３６０は本体幅方向において、内刃孔４３と対応する位置に複数形成されている。肌導入抑制部３６０は抑制部基礎部３６１および抑制部接触部３６２を有する。抑制部基礎部３６１および抑制部接触部３６２は同一の材料により一体的に形成される。肌導入抑制部３６０は制御部３８０と電気的に接続されている。
【００５０】
抑制部基礎部３６１は内刃継手部品５０と結合している。抑制部基礎部３６１は直方体の形状を有する。抑制部基礎部３６１は抑制部接触部３６２を支持する。
抑制部接触部３６２は抑制部基礎部３６１から内刃孔４３に向けて延びる形状を有する。抑制部接触部３６２は先端を本体長手方向において変化させることが可能な構造を有する。抑制部接触部３６２は内刃孔４３を介して内刃内部空間４４に導入される肌と接触する。抑制部接触部３６２は刃片４２の先端面４２Ａよりも内刃内部空間側に位置している。抑制部接触部３６２は本体長手方向および本体奥行方向に複数の開口３６２Ａを有する。複数の開口３６２Ａは内刃内部空間４４に髭を導入する。複数の開口３６２Ａは抑制部接触部３６２のうち、内刃孔側に形成されている。
【００５１】
押付圧力検出部３７０には圧力センサーが用いられる。押付圧力検出部３７０は押付圧力ＰＸを検出し、検出した押付圧力ＰＸに応じた圧力検出信号を制御部３８０に供給する。押付圧力ＰＸは外刃２１が肌に押し付けられることにより外刃２１に作用する圧力を示す。押付圧力検出部３７０は内刃継手部品５０に取り付けられている。押付圧力検出部３７０は制御部３８０と電気的に接続されている。
【００５２】
制御部３８０は押付圧力ＰＸの増加を示す圧力検出信号に従って、抑制部接触部３６２の先端の位置を、内刃孔４３に近づける制御を行う。制御部３８０はかみそり本体１０に収容される。
【００５３】
図８を参照して、第３実施形態の電気かみそり１の作用について説明する。
使用者は外刃２１を肌１００に押し付ける。例えば、片当て等の現象が生じることにより、外刃２１に作用する押付圧力ＰＸが初期の押付圧力ＰＸＡから押付圧力ＰＸＢに増加したとき、制御部３８０は抑制部接触部３６２の先端の位置を内刃孔４３に近づける。すなわち、肌導入抑制部３６０の肌戻し力を増加させる。肌戻し力は外刃孔２１Ａおよび内刃孔４３を介して内刃内部空間４４に導入される肌を肌導入抑制部３６０が押し戻す力を示す。
【００５４】
第３実施形態の電気かみそり１は上記(１)〜(３)の効果に加え、以下の効果を奏する。
(６)制御部３８０は押付圧力ＰＸが増加したとき、抑制部接触部３６２の先端の位置を内刃孔４３に近づけるため、押付圧力ＰＸの変化に応じて肌戻し力を変化させることができる。
【００５５】
図７および図８の例では肌導入抑制部３６０は抑制部基礎部３６１、および、複数の抑制部接触部３６２を含む。１つの抑制部接触部３６２、および、この抑制部接触部３６２を支持している抑制部基礎部３６１の一部である抑制部基礎部３６１Ａは肌導入抑制部３６０の基本要素としての肌導入抑制部３６０Ａを構成している。肌導入抑制部３６０Ａは本体幅方向に例えば３つ並べられている。隣り合う肌導入抑制部３６０の抑制部基礎部３６１Ａは互いに結合して、抑制部基礎部３６１を構成している。複数の肌導入抑制部３６０Ａは抑制部基礎部３６１Ａが互いに結合していることにより、個々の肌導入抑制部３６０Ａよりも大きい１つの肌導入抑制部３６０を構成している。
【００５６】
(第４実施形態)
第４実施形態の電気かみそり１は次の点において第３実施形態の電気かみそり１と相違し、その他の点において第３実施形態の電気かみそり１と同じ構成を有する。第３実施形態の電気かみそり１は図７等に示される押付圧力検出部３７０を有する。第４実施形態の電気かみそり１は図９等に示される肌導入量検出部４７０を有する。なお、第４実施形態の電気かみそり１において、第３実施形態の電気かみそり１と共通する構成については同一の符号を付して、その説明の一部または全部を省略する。
【００５７】
図９を参照して、第４実施形態の電気かみそり１の構成について説明する。
電気かみそり１は肌導入量検出部４７０および制御部３８０を有する。
肌導入量検出部４７０は肌導入量を検出し、検出した肌導入量に応じた肌導入量検出信号を制御部３８０に供給する。肌導入量は外刃孔２１Ａおよび内刃孔４３を介して内刃内部空間４４に導入された肌の量を示す。肌導入量検出部４７０は反射型の光電センサーが用いられる。肌導入量検出部４７０は内刃継手部品５０に取り付けられる。肌導入量検出部４７０は制御部３８０と電気的に接続される。
【００５８】
制御部３８０は肌導入量検出部４７０により検出された、肌導入量の増加を示す肌導入量検出信号に従って、抑制部接触部３６２の先端の位置を内刃孔４３に近づける制御を行う。制御部３８０はかみそり本体１０に収容される。
【００５９】
図１０を参照して、電気かみそり１の作用について説明する。
使用者は外刃２１を肌１００に押し付ける。このとき、片当て等の現象が生じることにより、外刃２１に作用する押付圧力が不均一となることがある。このため、外刃孔２１Ａおよび内刃孔４３を介して内刃内部空間４４に導入される肌の量が外刃２１および内刃４０の位置により変化する。肌導入量検出部４７０は所定量の光を肌に照射する。肌導入量検出部４７０が照射した光は肌１００に到達し反射する。反射した光は肌導入量検出部４７０に戻る。肌導入量検出部４７０は光を肌に照射してから反射した光が肌導入量検出部４７０に戻ってくるまでの時間Ｔを検出する。制御部３８０は時間Ｔが所定の閾値ＴＸよりも短いとき、肌導入量が増加している旨判定する。制御部３８０は肌導入量が増加している旨判定したとき、抑制部接触部３６２の先端の位置を内刃孔４３に近づける。すなわち、肌導入抑制部３６０の肌戻し力を増加させる。
【００６０】
第４実施形態の電気かみそり１は上記(１)〜(３)、(６)に準じた効果を奏する。
(第５実施形態)
第５実施形態の電気かみそり１は次の点において第２実施形態の電気かみそり１と相違し、その他の点において第２実施形態の電気かみそり１と同じ構成を有する。第２実施形態の電気かみそり１は図５等に示される肌導入抑制部２６０を有する。第５実施形態の電気かみそり１は図１１等に示される肌導入抑制部２６０に加えて振動付与部５００を有する。なお、第５実施形態の電気かみそり１において、第２実施形態の電気かみそり１と共通する構成については同一の符号を付してその説明の一部または全部を省略する。
【００６１】
図１１を参照して、第５実施形態の電気かみそり１の構成について説明する。
電気かみそり１は振動付与部５００を有する。振動付与部５００は肌導入抑制部２６０に振動を付与する。振動付与部５００は電動モーター５１０、カム部材５２０、およびガイド５３０を有する。
【００６２】
電動モーター５１０はかみそり本体１０に収容される。電動モーター５１０は出力軸５１１を有する。電動モーター５１０は出力軸５１１を回転させる。出力軸５１１はカム部材５２０の第１カム部材５２１と連結される。カム部材５２０は第１カム部材５２１および第２カム部材５２２を有する。
【００６３】
第１カム部材５２１は内刃継手部品５０に取り付けられる。第２カム部材５２２は第１カム部材５２１の上に取り付けられる。第２カム部材５２２は抑制部弾性部２６３を支持する。第２カム部材５２２は第１カム部材５２１が回転運動することにより、本体長手方向に往復運動する。
【００６４】
ガイド５３０は第１カム部材５２１の回転運動を案内する。ガイド５３０は第２カム部材５２２の本体長手方向の往復運動を案内する。ガイド５３０は内刃継手部品５０に取り付けられる。
【００６５】
図１２を参照して、電動かみそり１の作用について説明する。
電動モーター５１０により出力軸５１１が回転運動する。出力軸５１１が回転運動することにより、第１カム部材５２１が回転運動する。第１カム部材５２１が回転運動することにより、第２カム部材５２２が本体長手方向に往復運動する。このため、肌導入抑制部２６０が振動する。これにより、肌導入抑制部２６０に付着した髭くずが振るい落とされる。
【００６６】
第５実施形態の電気かみそり１は上記(１)〜(３)、(４)の効果に加え、以下の効果を奏する。
(７)振動付与部５００は肌導入抑制部２６０を振動させるため、肌導入抑制部２６０に付着した髭くずを振るい落とすことができる。このため、内刃内部空間４４に髭が導入されにくくなることを抑制できる。
【００６７】
(第６実施形態)
第６実施形態の電気かみそり１は次の点において第１実施形態の電気かみそり１と相違し、その他の点において第１実施形態の電気かみそり１と同じ構成を有する。第１実施形態の電気かみそり１は図３等に示される肌導入抑制部６０を有する。第６実施形態の電気かみそり１は図１３等に示される肌導入抑制部６６０を有する。なお、第６実施形態の電気かみそり１において、第１実施形態の電気かみそり１と共通する構成については同一の符号を付してその説明の一部または全部を省略する。
【００６８】
図１３を参照して、第６実施形態の肌導入抑制部６６０の構成について説明する。
肌導入抑制部６６０は肌導入抑制機能を有する。肌導入抑制部２６０は内刃内部空間４４において、内刃孔４３と対応する位置に配置されている。肌導入抑制部６６０は回転軸６６１および回転部６６２を有する。
【００６９】
回転軸６６１は金属材料により形成されている。回転軸６６１は内刃内部空間４４において、本体幅方向に延びる形状を有する。回転軸６６１は回転部６６２を回転可能に支持する。回転軸６６１の端部(図示略)は内刃継手部品５０の端部(図示略)に固定されている。回転軸６６１は内刃継手部品５０から取り外すことが可能な構成を有する。
【００７０】
回転部６６２は樹脂材料により形成されている。回転部６６２は内刃孔４３を介して内刃内部空間４４に導入される肌と接触することにより回転する。回転部６６２は本体幅方向において、内刃孔４３と対応する位置に複数形成されている。回転部６６２は回転軸６６１とともに、内刃継手部品５０から取り外すことが可能な構成を有する。回転部６６２は肌接触面６６２Ａを有する。肌接触面６６２Ａは刃片４２の先端面４２Ａよりも内刃内部空間側に位置している。
【００７１】
図１４を参照して、電気かみそり１の作用について説明する。
使用者は外刃２１を肌１００に押し付ける。肌１００は外刃孔２１Ａおよび内刃孔４３を介して内刃内部空間４４に導入される。導入された肌１００は回転部６６２と接触する。使用者は外刃２１を肌１００に押し付けた状態で、肌１００に対する外刃２１および内刃４０の位置を変化させる。回転部６６２は肌１００に対する外刃２１および内刃４０の移動に応じて、肌１００と接触した状態を維持しながら回転する。
【００７２】
第６実施形態の電気かみそり１は上記(１)〜(３)の効果に加え、以下の効果を奏する。
(８)回転部６６２は肌１００と接触することにより回転する構造を有するため、肌導入抑制部６６０と肌１００との摩擦力を低減することができる。
【００７３】
(第７実施形態)
第７実施形態の電気かみそり１は次の点において第１実施形態の電気かみそり１と相違し、その他の点において第１実施形態の電気かみそり１と同じ構成を有する。第１実施形態の電気かみそり１は図３等に示される肌導入抑制部６０を有する。第７実施形態の電気かみそり１は図１５等に示される肌導入抑制部７６０を有する。なお、第７実施形態の電気かみそり１において、第１実施形態の電気かみそり１と共通する構成については同一の符号を付してその説明の一部または全部を省略する。
【００７４】
図１５および図１６を参照して、第７実施形態の肌導入抑制部７６０の構成について説明する。
図１５および図１６に示されるように、肌導入抑制部７６０は肌導入抑制機能を有する。肌導入抑制部７６０は内刃内部空間４４において、内刃孔４３と対応する位置に配置されている。肌導入抑制部７６０は本体幅方向において、内刃孔４３と対応する位置に複数形成されている。肌導入抑制部７６０は抑制部基礎部７６１、抑制部接触部７６２、回転部７６３を有する。抑制部基礎部７６１および抑制部接触部７６２が同一の材料により一体的に形成される。
【００７５】
抑制部基礎部７６１は内刃継手部品５０と結合している。抑制部基礎部７６１は直方体の形状を有する。抑制部基礎部７６１は抑制部接触部７６２を支持する。
抑制部接触部７６２は内刃孔４３に向けて延びる形状を有する。抑制部接触部７６２は肌導入抑制機能を有する。抑制部接触部７６２は刃片４２の先端面４２Ａよりも内刃内部空間側に位置している。
【００７６】
抑制部接触部７６２は開口７６２Ａおよび先端凹部７６２Ｂを有する。開口７６２Ａは内刃内部空間４４に髭を導入する。開口７６２Ａは抑制部接触部７６２のうち、内刃孔側に形成されている。先端凹部７６２Ｂは回転部７６３を回転可能に支持する。先端凹部７６２Ｂは抑制部接触部７６２の先端に形成されている。
【００７７】
回転部７６３は樹脂材料により形成されている。回転部７６３は内刃孔４３を介して内刃内部空間４４に導入される肌と接触することにより回転する。回転部７６３は球体の形状を有する。回転部７６３は回転球面７６３Ａは刃片４２の先端面４２Ａよりも内刃内部空間側に位置している。
【００７８】
図１６を参照して、電気かみそり１の作用について説明する。
使用者は外刃２１を肌１００に押し付ける。肌１００は外刃孔２１Ａおよび内刃孔４３を介して内刃内部空間４４に導入される。導入された肌１００は回転部７６３と接触する。使用者は外刃２１を肌１００に押し付けた状態で、肌１００に対する外刃２１および内刃４０の位置を変化させる。回転部７６３は肌１００に対する外刃２１および内刃４０の移動に応じて、肌１００と接触した状態を維持しながら回転する。
【００７９】
第６実施形態の電気かみそり１は上記(１)〜(３)、(８)と同様の効果を奏する。
図１５および図１６の例では肌導入抑制部７６０は抑制部基礎部７６１、および、複数の抑制部接触部７６２を含む。１つの抑制部接触部７６２、および、この抑制部接触部７６２を支持している抑制部基礎部７６１の一部である抑制部基礎部７６１Ａは肌導入抑制部７６０の基本要素としての肌導入抑制部７６０Ａを構成している。肌導入抑制部７６０Ａは本体幅方向に例えば３つ並べられている。隣り合う肌導入抑制部７６０の抑制部基礎部７６１Ａは互いに結合して、抑制部基礎部７６１を構成している。複数の肌導入抑制部７６０Ａは抑制部基礎部７６１Ａが互いに結合していることにより、個々の肌導入抑制部７６０Ａよりも大きい１つの肌導入抑制部７６０を構成している。複数の肌導入抑制部７６０Ａのそれぞれは互いに異なる１つの内刃孔４３に対応して配置されている。
【００８０】
(第８実施形態)
第８実施形態の電気かみそり１は第１実施形態の肌導入抑制部６０の代わりに、図１７に示される肌導入抑制部８６０を有する。なお、第８実施形態の電気かみそり１において、第１実施形態の電気かみそり１と共通する構成については同一の符号を付してその説明の一部または全部を省略する。
【００８１】
図１７を参照して、第８実施形態の肌導入抑制部８６０の構成について説明する。
肌導入抑制部８６０は肌導入抑制機能を有する。肌導入抑制部８６０は抑制部基礎部８６１、および、複数の抑制部接触部８６２を含む。１つの抑制部接触部８６２、および、この抑制部接触部８６２を支持している抑制部基礎部８６１の一部である抑制部基礎部８６１Ａは肌導入抑制部８６０の基本要素としての肌導入抑制部８６０Ａを構成している。肌導入抑制部８６０Ａは本体幅方向に並べられている。隣り合う肌導入抑制部８６０の抑制部基礎部８６１Ａは互いに結合して、抑制部基礎部８６１を構成している。複数の肌導入抑制部８６０Ａは抑制部基礎部８６１Ａが互いに結合していることにより、個々の肌導入抑制部８６０Ａよりも大きい１つの肌導入抑制部８６０を構成している。複数の肌導入抑制部８６０Ａのそれぞれは互いに異なる１つの内刃孔４３に対応して配置されている。複数の肌導入抑制部８６０Ａは全ての内刃孔４３にそれぞれ対応している。本体長手方向における抑制部接触部８６２の先端面８６２Ａの位置は刃片４２の先端面４２Ａの位置と実質的に一致している。第８実施形態の電気かみそり１は上記(１)〜(３)と同様の効果を奏する。
【００８２】
(第９実施形態)
第９実施形態の電気かみそり１は第８実施形態の内刃ユニット３０の代わりに、図１８に示される内刃ユニット９３０を有する。なお、第９実施形態の電気かみそり１において、第８実施形態の電気かみそり１と共通する構成については同一の符号を付してその説明の一部または全部を省略する。
【００８３】
図１８を参照して、内刃ユニット９３０の構成について説明する。
内刃ユニット９３０は複数の内刃９４０を有する。複数の内刃９４０は本体幅方向に配置されている。内刃９４０は内刃本体壁部９４１、刃片９４２、および、内刃孔９４３を有する。
【００８４】
内刃本体壁部９４１は刃片９４２と同一の材料により一体的に形成されている。内刃本体壁部９４１および刃片９４２は内刃内部空間９４４を形成している。互いに隣り合う刃片９４２は内刃孔９４３を形成している。
【００８５】
複数の内刃９４０は本体長手方向における内刃本体壁部９４１の高さが互いに異なる。複数の内刃９４０は本体幅方向の最も外側の内刃９４０の高さが最も低い。複数の内刃９４０は本体幅方向の中央、および、その付近の内刃９４０(以下、「中央の内刃」)の高さが最も高い。最も外側の内刃９４０から中央の内刃９４０に向かうにつれて、内刃本体壁部９４１の高さが高くなっている。このような内刃９４０の高さの変化により、内刃９４０の正面視において各内刃９４０の先端部がアーチ形状を形成している。二点鎖線で示されている外刃９２１は内刃９４０の形状に対応したアーチ形状を有している。
【００８６】
内刃ユニット９３０は本体幅行方向において３つの部分、すなわち、長手高圧部分ＲＡおよび２つの長手低圧部分ＲＢに区分することができる。この区分は電気かみそり１の使用時において、内刃９４０に作用する圧力に基づいて規定される。長手高圧部分ＲＡはアーチ形状のうちの中間部分であり、長手低圧部分ＲＢと比較して高い圧力が作用しやすい。２箇所の長手低圧部分ＲＢは長手高圧部分ＲＡの本体幅方向の両側に存在する部分であり、作用する圧力が長手高圧部分ＲＡと比較して低くなりやすい。この圧力の関係は主として、長手高圧部分ＲＡに対応する内刃９４０が肌にフィットしやすい形状を有していることにより生じる。
【００８７】
肌導入抑制部９６０は抑制部基礎部９６１、および、複数の抑制部接触部９６２を含む。１つの抑制部接触部９６２、および、この抑制部接触部９６２を支持している抑制部基礎部９６１の一部である抑制部基礎部９６１Ａは肌導入抑制部９６０の基本要素としての肌導入抑制部９６０Ａを構成している。肌導入抑制部９６０Ａは本体幅方向に並べられている。隣り合う肌導入抑制部９６０Ａの抑制部基礎部９６１Ａは互いに結合することにより抑制部基礎部９６１を構成している。複数の肌導入抑制部９６０Ａは抑制部基礎部９６１Ａが互いに結合していることにより、個々の肌導入抑制部９６０Ａよりも大きい１つの肌導入抑制部９６０を構成している。複数の肌導入抑制部９６０Ａのそれぞれは互いに異なる１つの内刃孔９４３に対応して配置されている。
【００８８】
肌導入抑制部９６０は内刃ユニット９３０の長手高圧部分ＲＡと対応する内刃内部空間９４４に配置されている。複数の肌導入抑制部９６０Ａは長手高圧部分ＲＡに含まれる全ての内刃孔９４３にそれぞれ対応している。本体長手方向における抑制部接触部９６２の先端面９６２Ａの位置は長手高圧部分ＲＡに含まれる刃片９４２の先端面９４２Ａよりも内刃内部空間側に位置している。
【００８９】
第９実施形態の電気かみそり１は上記(１)〜(３)と同様の効果に加え、以下の効果を奏する。
(９)一般的に、肌の窪んだ部分に生えている髭は剃りにくい。顎下は肌の窪んだ部分の一例に該当する。電気かみそり１によれば、外刃９２１がアーチ形状を有している。このため、外刃９２１が肌の窪んだ部分にフィットしやすい。このため、髭の剃り残しが生じにくくなる。一方、外刃９２１および内刃９４０がアーチ形状を有していることにより、長手高圧部分ＲＡに存在している内刃孔９４３を介して内刃内部空間９４４に肌が入り込みやすい。このため、肌導入抑制部９６０が存在していない電気かみそりの形態によれば、肌に強い刺激を与えるおそれがある。すなわち、外刃９２１および内刃９４０のアーチ形状は髭の剃り性を高める一方、肌に強い刺激を付与するおそれを高める。
【００９０】
第９実施形態の電気かみそり１は長手高圧部分ＲＡに対応する内刃内部空間９４４に肌導入抑制部９６０が配置されている。このため、長手高圧部分ＲＡに対応する内刃内部空間９４４に肌が導入されにくい。このため、髭の剃り性を高める外刃９２１および内刃９４０の構造を有し、そのうえで、肌に強い刺激を与えるおそれが低減される。すなわち、髭の剃り性を高める効果、および、肌を保護する効果の両方が得られる。
【００９１】
(第１０実施形態)
第１０実施形態の電気かみそり１は第９実施形態の内刃ユニット９３０の代わりに、図１９に示される内刃ユニット１３０Ａを有する。なお、第１０実施形態の電気かみそり１において、第９実施形態の電気かみそり１と共通する構成については同一の符号を付してその説明の一部または全部を省略する。
【００９２】
図１９を参照して、内刃ユニット１３０Ａの構成について説明する。
内刃ユニット１３０Ａは複数の内刃１４０Ａ、および、肌導入抑制部９６０を有する。複数の内刃１４０Ａは本体幅方向に配置されている。内刃１４０Ａは内刃本体壁部１４１Ａ、刃片１４２Ａ、および、内刃孔１４３Ａを有する。
【００９３】
内刃本体壁部１４１Ａは刃片１４２Ａと同一の材料により一体的に形成されている。内刃本体壁部１４１Ａおよび刃片１４２Ａは内刃内部空間１４４Ａを形成している。互いに隣り合う刃片１４２Ａは内刃孔１４３Ａを形成している。
【００９４】
内刃ユニット１３０Ａは各内刃１４０Ａの本体長手方向の高さが実質的に一致している。このような内刃１４０Ａの高さの関係により、内刃１４０Ａの正面視において各内刃１４０Ａの先端部が平面形状を形成している。二点鎖線で示されている外刃１２１Ａは内刃１４０Ａの形状に対応した平面形状を有している。
【００９５】
内刃ユニット１３０Ａは本体幅行方向において３つの部分、すなわち、長手高圧部分ＲＡＡおよび２つの長手低圧部分ＲＢＢに区分することができる。この区分は電気かみそり１の使用時において、内刃１４０Ａに作用する圧力に基づいて規定される。電気かみそり１によれば、内刃１４０Ａの形状から、外刃１２１Ａの端部部分が肌の窪んだ部分に押し当てて使用される頻度が高い。このため、２箇所の長手高圧部分ＲＡＡは長手低圧部分ＲＢＢと比較して高い圧力が作用しやすい。長手低圧部分ＲＢＢは２箇所の長手高圧部分ＲＡＡの間に存在する部分であり、作用する圧力が長手高圧部分ＲＡＡと比較して低くなりやすい。
【００９６】
肌導入抑制部９６０は内刃ユニット１３０Ａの長手高圧部分ＲＡＡと対応する内刃内部空間１４４Ａに配置されている。複数の肌導入抑制部９６０Ａは長手高圧部分ＲＡＡに含まれる全ての内刃孔１４３Ａにそれぞれ対応している。本体長手方向における抑制部接触部９６２の先端面９６２Ａの位置は長手高圧部分ＲＡＡに含まれる刃片１４２Ａの先端面１４２Ｘの位置よりもわずかに低い。
【００９７】
第１０実施形態の電気かみそり１は上記(１)〜(３)と同様の効果に加え、以下の効果を奏する。
(１０)電気かみそり１は長手高圧部分ＲＡＡに存在している内刃孔１４３Ａに対応する内刃内部空間１４４Ａに肌導入抑制部９６０が配置されている。このため、長手高圧部分ＲＡＡに対応する内刃内部空間１４４Ａに肌が導入されにくい。このため、肌に強い刺激を与えるおそれが低減される。
【００９８】
(第１１実施形態)
第１１実施形態の電気かみそり１は第８実施形態の肌導入抑制部８６０の代わりに、図２０等に示される肌導入抑制部１６０Ｂを有する。なお、第１１実施形態の電気かみそり１において、第８実施形態の電気かみそり１と共通する構成については同一の符号を付してその説明の一部または全部を省略する。
【００９９】
図２０〜図２２を参照して、肌導入抑制部１６０Ｂの構成について説明する。
図２０に示されるように、電気かみそり１は複数の肌導入抑制部１６０Ｂを含む。複数の肌導入抑制部１６０Ｂは本体幅方向に並べられている。複数の肌導入抑制部１６０Ｂのそれぞれは互いに異なる１つの内刃孔４３に対応する内刃内部空間４４に配置されている。複数の肌導入抑制部１６０Ｂは全ての内刃孔４３にそれぞれ対応している。
【０１００】
図２１に示されるように肌導入抑制部１６０Ｂは第１肌導入抑制部１６１Ｂ、および、複数の第２肌導入抑制部１６２Ｂを含む。第１肌導入抑制部１６１Ｂはアーチ状のであり得る。第２肌導入抑制部１６２Ｂは内刃継手部品５０の短手方向、すなわち、本体奥行方向に例えば３つ並べられている。第２肌導入抑制部１６２Ｂは第１肌導入抑制部１６１Ｂと同一の材料により一体的に形成されている。第２肌導入抑制部１６２Ｂは第１肌導入抑制部１６１Ｂの湾曲部分から内刃継手部品５０と反対の方向に突出している。第２肌導入抑制部１６２Ｂは突起形状である。第２肌導入抑制部１６２Ｂの先端は半球形状である。
【０１０１】
刃片４２は本体奥行方向において３つの部分、すなわち、短手高圧部分ＲＺＡおよび２箇所の短手低圧部分ＲＺＢに区分することができる。この区分は電気かみそり１の使用時において、内刃４０に作用する圧力に基づいて規定される。短手高圧部分ＲＺＡは刃片４２のうちの中間部分であり、短手低圧部分ＲＺＢと比較して高い圧力が作用しやすい。２箇所の短手低圧部分ＲＺＢは短手高圧部分ＲＺＡの本体奥行方向の両側に存在する部分であり、作用する圧力が短手高圧部分ＲＺＡと比較して低くなりやすい。この圧力の関係は主として、短手高圧部分ＲＺＡが肌にフィットしやすい形状を有していることにより生じる。
【０１０２】
第１肌導入抑制部１６１Ｂは本体奥行方向において、一方の短手低圧部分ＲＺＢから他方の短手低圧部分ＲＺＢまでにわたり存在している。複数の第２肌導入抑制部１６２Ｂは本体幅方向において短手高圧部分ＲＺＡと対応する部分に存在している。外刃(図示略)が肌に押し付けられたとき、短手低圧部分ＲＺＢに対応する内刃孔４３よりも、短手高圧部分ＲＺＡに対応する内刃孔４３に肌が入り込みやすい。電気かみそり１によれば、このような肌の動きを考慮して、肌導入抑制部１６０Ｂが構成されている。第２肌導入抑制部１６２Ｂは第１肌導入抑制部１６１Ｂよりも内刃孔４３の開口している部分の近くに存在しているため、肌が内刃内部空間４４に入り込むことを妨げる効果が高い。このため、短手高圧部分ＲＺＡと対応する部分に第２肌導入抑制部１６２Ｂが配置されていることにより、第２肌導入抑制部１６２Ｂが存在しない場合と比較して、肌が内刃内部空間４４に一層入り込みにくくなる。
【０１０３】
図２２を参照して、第１肌導入抑制部１６１Ｂおよび第２肌導入抑制部１６２Ｂの寸法について説明する。
第２肌導入抑制部１６２Ｂの幅は第１肌導入抑制部１６１Ｂの幅よりも短い。第１肌導入抑制部１６１Ｂの幅は第１肌導入抑制部１６１Ｂの一方の端面から他方の端面までの距離である。第２肌導入抑制部１６２Ｂの幅は第２肌導入抑制部１６２Ｂの一方の端面から他方の端面までの距離である。
【０１０４】
各肌導入抑制部１６１Ｂ，１６２Ｂが有する肌導入抑制機能の高さは主として、第２肌導入抑制部１６２Ｂの先端面の幅寸法ＸＡに依存している。肌導入抑制機能は幅寸法ＸＡが長くなるにつれて高くなる。幅寸法ＸＡが規定幅範囲に含まれる場合、好ましい肌導入抑制機能が確保される。このため、第２肌導入抑制部１６２Ｂの先端面の幅寸法ＸＡは規定幅範囲に含まれる大きさに設定されている。
【０１０５】
髭の剃り性を示す事項の１つとして、髭導入性が挙げられる。髭導入性は内刃内部空間４４への髭の挿入されやすさを示す。第２肌導入抑制部１６２Ｂの端面と外刃２１との距離ＸＢは髭導入性に影響を及ぼす。髭導入性は距離ＸＢが長くなるにつれて高くなる。距離ＸＢが規定距離範囲に含まれる場合、好ましい髭導入性が確保される。このため、距離ＸＢは規定距離範囲に含まれる大きさに設定されている。
【０１０６】
幅寸法ＸＡおよび距離ＸＢは互いに影響を及ぼし合う。このため、肌導入抑制機能および髭導入性の双方を考慮して、幅寸法ＸＡおよび距離ＸＢを規定することが好ましい。肌導入抑制部１６０Ｂは好ましい肌導入抑制機能が確保される幅寸法ＸＡ、および、好ましい髭導入性が確保される距離ＸＢを有している。ただし、第１肌導入抑制部１６１Ｂの幅が、先端部から基端部までにわたり幅寸法ＸＡを取ると仮定した場合、第１肌導入抑制部１６１Ｂの強度が比較的小さくなるおそれがある。すなわち、仮定した構成によれば、第１肌導入抑制部１６１Ｂが外部から受けることができる最大の負荷が比較的小さくなる。
【０１０７】
このため、第１肌導入抑制部１６１Ｂは好ましい肌導入抑制機能および髭導入性を確保する構造に加えて、好ましい強度を確保する構造をさらに有している。肌との接触にともない第１肌導入抑制部１６１Ｂに負荷が作用するとき、第１肌導入抑制部１６１Ｂは根本の部分を支点としてたわみ変形する。このため、第１肌導入抑制部１６１Ｂの付け根部分の強度を高めることにより、第１肌導入抑制部１６１Ｂの破損が生じにくくなる。
【０１０８】
第２肌導入抑制部１６２Ｂの一方の端面と外刃２１との距離ＸＢは規定距離以上の長さである。規定距離は例えば髭の径を示す。髭の径は人により異なる。第２肌導入抑制部１６２Ｂによれば、代表的な髭の径が規定距離として選択され、その選択された規定距離との関係に基づいて距離ＸＢが定められている。第２肌導入抑制部１６２Ｂおよび外刃２１の外刃孔２１Ａが、このような寸法の関係を有しているため、髭は内刃内部空間４４に入り込みやすい。
【０１０９】
隙間空間ＳＡが第１肌導入抑制部１６１Ｂと内刃本体壁部４１との間に形成されている。余裕空間ＳＢが第２肌導入抑制部１６２Ｂと刃片４２との間に形成されている。隙間空間ＳＡの幅は第１肌導入抑制部１６１Ｂの端面と内刃本体壁部４１との距離により規定される。余裕空間ＳＢの幅は第２肌導入抑制部１６２Ｂの端面と刃片４２との距離により規定される。余裕空間ＳＢの幅は隙間空間ＳＡの幅よりも大きい。余裕空間ＳＢの幅は切断された髭が第２肌導入抑制部１６２Ｂと刃片４２との間に詰まりにくい大きさである。
【０１１０】
第１１実施形態の電気かみそり１は上記(１)〜(３)と同様の効果に加え、以下の効果を奏する。
(１１)電気かみそり１は短手高圧部分ＲＺＡに存在している内刃孔４３に対応する内刃内部空間４４に第２肌導入抑制部１６２Ｂが配置されている。このため、短手高圧部分ＲＺＡに対応する内刃内部空間４４に肌が導入されにくい。このため、肌に強い刺激を与えるおそれが低減される。
【０１１１】
(第１２実施形態)
第１２実施形態の電気かみそり１は第１実施形態の肌導入抑制部６０の代わりに、図２３に示される肌導入抑制部１６０Ｃを有する。なお、第１２実施形態の電気かみそり１において、第１実施形態の電気かみそり１と共通する構成については同一の符号を付してその説明の一部または全部を省略する。
【０１１２】
図２３を参照して、肌導入抑制部１６０Ｃの構成について説明する。なお、図２３は説明の便宜上、本体幅方向における内刃ユニット３０の一部分のみを図示している。
肌導入抑制部１６０Ｃは内刃内部空間４４において、内刃孔４３と対応する位置に配置されている。肌導入抑制部１６０Ｃは本体幅方向、すなわち内刃継手部品５０の長手方向において、各内刃孔４３と対応する位置にそれぞれ配置されている。肌導入抑制部１６０Ｃは抑制部基礎部１６１Ｃおよび抑制部接触部１６２Ｃを有する。
【０１１３】
抑制部基礎部１６１Ｃは内刃継手部品５０および内刃４０と同一の材料により一体的に形成されている。抑制部基礎部１６１Ｃは内刃４０と相似する形状である。抑制部基礎部１６１Ｃは例えばアーチ状である。
【０１１４】
抑制部接触部１６２Ｃは抑制部基礎部１６１Ｃと同一の材料により一体的に形成されている。抑制部接触部１６２Ｃは抑制部基礎部１６１Ｃから内刃孔４３に向けて延びる形状を有する。抑制部接触部１６２Ｃは内刃孔４３を介して内刃内部空間４４に導入される肌と接触する。抑制部接触部１６２Ｃの先端面１６２ＣＸは本体長手方向において、刃片４２の先端面４２Ａよりも内刃内部空間側に位置している。
【０１１５】
第１２実施形態の電気かみそり１は上記(１)〜(３)と同様の効果に加え、以下の効果を奏する。
(１２)抑制部基礎部１６１Ｃは内刃４０と相似する形状であるため、本体長手方向における、刃片４２の先端面４２Ａに対する抑制部接触部１６２Ｃの先端面１６２ＣＸの位置決めの精度を高めることができる。
【０１１６】
(１３)抑制部基礎部１６１Ｃは内刃継手部品５０および内刃４０と同一の材料により一体的に形成されている。このため、本体長手方向における、刃片４２の先端面４２Ａに対する抑制部接触部１６２Ｃの先端面１６２ＣＸの位置決めの精度を高めることができる。
【０１１７】
(第１３実施形態)
第１３実施形態の電気かみそり１は第１実施形態の内刃ユニット３０の代わりに、図２４に示される内刃ユニット１３０Ｄを有する。なお、第１３実施形態の電気かみそり１において、第１実施形態の電気かみそり１と共通する構成については同一の符号を付してその説明の一部または全部を省略する。
【０１１８】
図２４を参照して、内刃ユニット１３０Ｄの構成について説明する。
内刃ユニット１３０Ｄは内刃１４０Ｄおよび肌導入抑制部１６０Ｄを有する。内刃ユニット１３０Ｄは内刃１４０Ｄが外刃(図示略)に対して回転することにより、外刃から導入された髭を切断する、いわゆる回転式の構造を有する。内刃１４０Ｄは円形の内刃継手部品１５０Ｄの周方向に間隔をあけて複数配置されている。
【０１１９】
肌導入抑制部１６０Ｄは肌導入抑制機能を有する。肌導入抑制部１６０Ｄは抑制部基礎部１６１Ｄ、および、複数の抑制部接触部１６２Ｄを含む。１つの抑制部接触部１６２Ｄ、および、この抑制部接触部１６２Ｄを支持している抑制部基礎部１６１Ｄの一部である抑制部基礎部１６１ＤＡは肌導入抑制部１６０Ｄの基本要素としての肌導入抑制部１６０ＤＡを構成している。肌導入抑制部１６０ＤＡは周方向および径方向に並べられている。隣り合う肌導入抑制部１６０ＤＡの抑制部基礎部１６１ＤＡは互いに結合して、抑制部基礎部１６１Ｄを構成している。複数の肌導入抑制部１６０ＤＡは抑制部基礎部１６１ＤＡが互いに結合していることにより、個々の肌導入抑制部１６０ＤＡよりも大きい１つの肌導入抑制部１６０Ｄを構成している。複数の肌導入抑制部１６０ＤＡのそれぞれは互いに異なる１つの内刃孔１４３Ｄに対応して配置されている。複数の肌導入抑制部１６０ＤＡは全ての内刃孔１４３Ｄにそれぞれ対応している。
【０１２０】
抑制部接触部１６２Ｄは各内刃内部空間１４４Ｄにおいて、径方向に例えば３つ並べられている。なお、内刃ユニット１３０Ｄの周方向は往復駆動式の内刃ユニット３０(図１等参照)の本体幅方向に相当する。また、内刃ユニット１３０Ｄの径方向は往復駆動式の内刃ユニット３０(図１等参照)の本体奥行方向に相当する。
【０１２１】
第１３実施形態の電気かみそり１は上記(１)〜(３)と同様の効果を奏する。
(その他の実施形態)
本電気かみそりは第１実施形態〜第１３実施形態とは異なるその他の実施形態を含む。その他の実施形態は例えば以下に示される変形例を含む。変形例及び実施形態は技術的に矛盾しない範囲において互いに組み合わせることができる。
【０１２２】
・第１実施形態の抑制部基礎部６１は内刃継手部品５０と結合している。ただし、抑制部基礎部６１の構成は第１実施形態に例示された内容に限られない。変形例の抑制部基礎部は内刃本体壁部４１と結合している。
【０１２３】
・第１実施形態の肌導入抑制部６０は抑制部基礎部６１および抑制部接触部６２が同一の樹脂材料により一体的に形成された構造を有する。ただし、肌導入抑制部６０の構成は第１実施形態に例示された内容に限られない。変形例の肌導入抑制部は抑制部基礎部および抑制部接触部が同一の弾性材料により一体的に形成された構造を有する。
【０１２４】
・第１実施形態の肌導入抑制部６０は抑制部接触部６２が肌１００と接触する。ただし、肌導入抑制部６０の構成は第１実施形態に例示された内容に限られない。変形例の肌導入抑制部は外刃孔２１Ａおよび内刃孔４３を介して導入された肌１００にエアーを吹き付けることにより、肌１００が内刃内部空間４４に導入されることを妨げる。
【０１２５】
・第１実施形態の抑制部基礎部６１、第３実施形態の抑制部基礎部３６１、および第７実施形態の抑制部基礎部７６１は内刃継手部品５０と結合する。ただし、抑制部基礎部の構成は第１実施形態、第３実施形態、および第７実施形態に例示された内容に限られない。変形例の抑制部基礎部は内刃継手部品５０と一体的に形成されている。
【０１２６】
・第１実施形態の抑制部基礎部６１、第２実施形態の抑制部基礎部２６１、第３実施形態の抑制部基礎部３６１、および第７実施形態の抑制部基礎部７６１は直方体の形状を有する。ただし、抑制部基礎部は第１実施形態、第２実施形態、第３実施形態、および第７実施形態に例示された形状に限定されない。変形例の抑制部基礎部は立方体等の任意の形状を有する。
【０１２７】
・第１実施形態の抑制部接触部６２、第２実施形態の抑制部接触部２６２、第３実施形態の抑制部接触部３６２、第６実施形態の回転部６６２、および第７実施形態の回転部７６３は刃片４２の先端面４２Ａよりも内刃内部空間側に位置している。ただし、抑制部基礎部および回転部の構成は第１実施形態、第２実施形態、第３実施形態、第６実施形態、および第７実施形態に例示された内容に限られない。変形例の抑制部基礎部および回転部は刃片４２の先端面４２Ａと同一平面上に位置している。
【０１２８】
・第３実施形態の電気かみそり１は押付圧力検出部３７０を有する。ただし、電気かみそり１の構成は第３実施形態に例示された構成に限られない。変形例の電気かみそり１は押付圧力検出部３７０に加えて、第４実施形態に示す肌導入量検出部４７０を有する。また、変形例の電気かみそりが有する制御部は肌導入量および押付圧力の少なくとも一方が増加したとき、抑制部接触部３６２の先端の位置を内刃孔４３に近づける。すなわち、肌導入抑制部３６０の肌戻し力を増加させる。
【０１２９】
・第３実施形態の押付圧力検出部３７０は圧力センサーが用いられる。ただし、押付圧力検出部３７０の構成は第３実施形態に例示された構成に限られない。変形例の押付圧力検出部３７０はひずみゲージが用いられる。
【０１３０】
・第５実施形態の振動付与部５００は肌導入抑制部２６０を本体長手方向に振動させる。ただし、振動付与部５００の構成は第５実施形態に例示された構成に限られない。変形例の振動付与部は肌導入抑制部２６０を本体幅方向および本体奥行方向の少なくとも一方に振動させる。
【０１３１】
・第６実施形態の肌導入抑制部６６０は回転軸６６１を有する。回転軸６６１は内刃内部空間４４において、本体幅方向に延びる形状を有する。ただし、回転軸６６１の構成は第６実施形態に例示された構成に限られない。変形例の肌導入抑制部は内刃内部空間４４において、本体奥行方向に延びる回転軸を有する。
【０１３２】
・第６実施形態の回転部６６２および第７実施形態の回転部７６３は樹脂材料により形成されている。ただし、回転部の構成は第６実施形態および第７実施形態に例示された内容に限られない。変形例の回転部は金属材料により形成されている。
【０１３３】
・第８実施形態のように、肌導入抑制部８６０Ａは内刃内部空間４４において、全ての内刃孔４３と対応する位置に配置されていることが好ましい。ただし、肌導入抑制部８６０Ａが配置されている位置は第８実施形態に例示された構成に限られない。図２５および図２６に示す変形例のように、内刃内部空間４４において、一部の内刃孔４３と対応する位置に肌導入抑制部８６０Ａは配置されなくてもよい。
【０１３４】
・第８実施形態の肌導入抑制部８６０Ａは本体長手方向における抑制部接触部８６２の先端面８６２Ａの位置が刃片４２の先端面４２Ａの位置と実質的に一致している。ただし、先端面８６２Ａの位置は実施形態に例示された位置に限られない。変形例の接触部抑制部の先端面は内刃４０の先端面４２Ａと外刃２１との間に存在している。
【０１３５】
一般的に、先端が折れ曲がっているようなくせ髭は外刃孔(図示略)から導入されたとき、先端が内刃孔４３に到達しないことがある。一方、この変形例においては接触部抑制部の先端面が内刃４０の先端面４２Ａと外刃２１との間に存在しているため、くせ髭の先端と抑制部接触部とが接触することがある。このため、抑制部接触部がくせ髭を起こすことができる。これにより、くせ髭の先端を内刃孔４３に導入することができる。このため、電気かみそり１の剃り性が高められる。
【０１３６】
・第１実施形態〜第１２実施形態の内刃ユニット３０は外刃ユニット２０に対して、本体幅方向に往復運動する。ただし、内刃ユニット３０の構成は第１実施形態〜第７実施形態に例示された構成に限られない。変形例の内刃ユニットは外刃ユニット２０に対して回転運動する。すなわち、変形例の電気かみそりはいわゆる、回転式の電気かみそりとしての形態を有する。
【０１３７】
・第１実施形態〜第１３実施形態の電気かみそり１は髭を切断する。ただし、電気かみそり１が切断するのは髭に限られない。変形例の電気かみそりは髭を含む様々な毛を切断する。
【０１３８】
・第１実施形態〜第１２実施形態の電気かみそり１は２つの内刃ユニットを有する。ただし、内刃ユニットの数は第１実施形態〜第１２実施形態に例示された内容に限られない。変形例の電気かみそりは１つまたは３つ以上の個数の内刃ユニットを有する。
【符号の説明】
【０１３９】
１０      ：本体
１０Ａ    ：本体正面
１０Ｂ    ：本体背面
１０Ｃ    ：本体右側面
１０Ｄ    ：本体左側面
１１      ：グリップ部
１２      ：ヘッド部
１３      ：駆動部
１４      ：電源スイッチ
２０      ：外刃ユニット
２１      ：外刃
２１Ａ    ：外刃孔
２２      ：外刃ケース
３０      ：内刃ユニット
４０      ：内刃
４１      ：内刃本体壁部
４２      ：刃片
４２Ａ    ：先端面
４３      ：内刃孔
４４      ：内刃内部空間
５０      ：内刃継手部品
６０      ：肌導入抑制部
６０Ａ    ：肌導入抑制部
６１      ：抑制部基礎部
６１Ａ    ：抑制部基礎部
６２      ：抑制部接触部
６２Ａ    ：開口
１００    ：肌
１１０    ：髭
１２１Ａ  ：外刃
１３０Ａ  ：内刃ユニット
１３０Ｄ  ：内刃ユニット
１４０Ａ  ：内刃
１４０Ｄ  ：内刃
１４１Ａ  ：内刃本体壁部
１４２Ａ  ：刃片
１４２Ｘ  ：先端面
１４３Ａ  ：内刃孔
１４３Ｄ  ：内刃孔
１４４Ａ  ：内刃内部空間
１４４Ｄ  ：内刃内部空間
１５０Ｄ  ：内刃継手部品
１６０Ｂ  ：肌導入抑制部
１６０Ｃ  ：肌導入抑制部
１６０Ｄ  ：肌導入抑制部
１６０ＤＡ：肌導入抑制部
１６１Ｂ  ：肌導入抑制部
１６１Ｃ  ：抑制部基礎部
１６１Ｄ  ：抑制部基礎部
１６１ＤＡ：抑制部基礎部
１６２Ｂ  ：肌導入抑制部
１６２Ｃ  ：抑制部接触部
１６２ＣＸ：先端面
１６２Ｄ  ：抑制部接触部
２６０    ：肌導入抑制部
２６１    ：抑制部基礎部
２６２    ：抑制部接触部
２６３    ：抑制部弾性部
３６０    ：肌導入抑制部
３６０Ａ  ：肌導入抑制部
３６１    ：抑制部基礎部
３６１Ａ  ：抑制部基礎部
３６２    ：抑制部接触部
３６２Ａ  ：開口
３７０    ：押付圧力検出部
３８０    ：制御部
４７０    ：肌導入量検出部
５００    ：振動付与部
５１０    ：電動モーター
５１１    ：出力軸
５２０    ：カム部材
５２１    ：第１カム部材
５２２    ：第２カム部材
５３０    ：ガイド
６６０    ：肌導入抑制部
６６１    ：回転軸
６６２    ：回転部
６６２Ａ  ：肌接触面
７６０    ：肌導入抑制部
７６０Ａ  ：肌導入抑制部
７６１    ：抑制部基礎部
７６１Ａ  ：抑制部基礎部
７６２    ：抑制部接触部
７６２Ａ  ：開口
７６２Ｂ  ：先端凹部
７６３    ：回転部
７６３Ａ  ：回転球面
８６０    ：肌導入抑制部
８６０Ａ  ：肌導入抑制部
８６１    ：抑制部基礎部
８６１Ａ  ：抑制部基礎部
８６２    ：抑制部接触部
８６２Ａ  ：先端面
９２１    ：外刃
９３０    ：内刃ユニット
９４０    ：内刃
９４１    ：内刃本体壁部
９４２    ：刃片
９４２Ａ  ：先端面
９４３    ：内刃孔
９４４    ：内刃内部空間
９６０    ：肌導入抑制部
９６０Ａ  ：肌導入抑制部
９６１    ：抑制部基礎部
９６１Ａ  ：抑制部基礎部
９６２    ：抑制部接触部
９６２Ａ  ：先端面
Ｔ        ：時間
ＴＸ      ：閾値
ＰＡ      ：押付圧力
ＰＢ      ：押付圧力
ＰＸ      ：押付圧力
ＰＸＡ    ：押付圧力
ＰＸＢ    ：押付圧力
ＲＡ      ：長手高圧部分
ＲＡＡ    ：長手高圧部分
ＲＢ      ：長手低圧部分
ＲＢＢ    ：長手低圧部分
ＲＺＡ    ：短手高圧部分
ＲＺＢ    ：短手低圧部分
ＳＡ      ：隙間空間
ＳＢ      ：余裕空間
ＸＡ      ：幅寸法
ＸＢ      ：距離
【図１】
2018114347.tif 000003
【図２】
2018114347.tif 000004
【図３】
2018114347.tif 000005
【図４】
2018114347.tif 000006
【図５】
2018114347.tif 000007
【図６】
2018114347.tif 000008
【図７】
2018114347.tif 000009
【図８】
2018114347.tif 000010
【図９】
2018114347.tif 000011
【図１０】
2018114347.tif 000012
【図１１】
2018114347.tif 000013
【図１２】
2018114347.tif 000014
【図１３】
2018114347.tif 000015
【図１４】
2018114347.tif 000016
【図１５】
2018114347.tif 000017
【図１６】
2018114347.tif 000018
【図１７】
2018114347.tif 000019
【図１８】
2018114347.tif 000020
【図１９】
2018114347.tif 000021
【図２０】
2018114347.tif 000022
【図２１】
2018114347.tif 000023
【図２２】
2018114347.tif 000024
【図２３】
2018114347.tif 000025
【図２４】
2018114347.tif 000026
【図２５】
2018114347.tif 000027
【図２６】
2018114347.tif 000028
【図２７】
2018114347.tif 000029